(57)【要約】【課題】  内容器を挟持したときに外容器側係止突起と内容器側係止突起とによる係合が容易に外れやすい構造とすることにより、内容器の交換作業をスムーズに行えるようにした二重容器を創出することを課題とする。【解決手段】  内容器３０と、外容器２０と、外蓋４０とを備えた二重容器であって、外容器２０は、容器側ネジ部２４及び一対のネジ欠損部２５と、口筒部２６と、外容器側係止突起２７とを有して構成され、内容器３０は、口筒部２６に組み付く環状周壁部３４と、環状周壁部３４の下端に撓み変形可能な状態で設けられた一対の摘み部３５と、外容器側係止突起２７に夫々係止可能な内容器側係止突起３７とを有して構成され、更に外容器２０側のネジ欠損部２５の下端に、摘み部３５が内径方向に撓み変形したときに、摘み部３５の下端を内径方向に摺動させて内容器３０を上方に移動させる径方向傾斜部２５ｃが形成された構成とする。【選択図】  図５
2020050425.tif 000002
【特許請求の範囲】
【請求項１】
内容物が充填される内容器（３０）と、該内容器（３０）が収容される外容器（２０）と、前記内容器（３０）を収容した外容器（２０）の開口端を封止する外蓋（４０）とを備えた二重容器であって、
前記外容器（２０）は、胴壁部（２１）の上端側に設けられた首筒部（２３）の外周面に刻設された容器側ネジ部（２４）及び前記外周面上の軸対称となる位置に薄肉状に形成された一対のネジ欠損部（２５）とを有して構成される雄ネジと、前記首筒部（２３）の上部に設けられた口筒部（２６）と、該口筒部（２６）の外周面上で且つ前記一対のネジ欠損部（２５）に対して周方向にずれた位置に形成された外容器側係止突起（２７）とを有して構成され、
前記内容器（３０）は、周壁部（３１）の開口端に形成されたフランジ部（３３）の外周端から垂下設して前記外容器（２０）の前記口筒部（２６）に組み付く環状周壁部（３４）と、該環状周壁部（３４）の下端に撓み変形可能な状態で設けられて前記外容器（２０）側のネジ欠損部（２５）に嵌合すると共に外周面に前記外容器（２０）側の前記容器側ネジ部（２４）に連続するネジ形状を有して前記ネジ欠損部（２５）を補完する補完ネジ部（３６）を備える一対の摘み部（３５）と、前記環状周壁部（３４）の内周面上で且つ前記一対の摘み部（３５）に対して周方向にずれた位置に形成されて前記外容器側係止突起（２７）に夫々係止可能な内容器側係止突起（３７）とを有して構成され、
更に前記外容器（２０）側のネジ欠損部（２５）の下端に、前記摘み部（３５）が内径方向に撓み変形したときに、前記摘み部（３５）の下端を内径方向に摺動させて前記内容器（３０）を上方に移動させる径方向傾斜部（２５ｃ）が形成されていることを特徴とする二重容器。
【請求項２】
ネジ欠損部（２５）を有する首筒部（２３）の周壁に、径方向傾斜部（２５ｃ）を内径方向に延長させる横孔（２８）が形成されている請求項１記載の二重容器。
【請求項３】
ネジ欠損部（２５）には、前記ネジ欠損部（２５）の上端であるネジ欠損上部（２５ａ）と下端であるネジ欠損底部（２５ｂ）との間を周方向に沿って連続する周方向傾斜部（２５ｄ）が形成されている請求項１又は２記載の二重容器。
【請求項４】
摘み部（３５）に薄肉部（３８）が形成されている請求項１乃至３のいずれか一項に記載の二重容器。
【請求項５】
外容器（２０）では一対の外容器側係止突起（２７）が一対のネジ欠損部（２５）に対して周方向に９０度ずれた位置又はその近傍の位置に突設され、内容器（３０）では前記一対の外容器側係止突起（２７）に対向する位置に一対の内容器側係止突起（３７）が突設されている請求項１乃至４のいずれか一項に記載の二重容器。
【発明の詳細な説明】
【技術分野】
【０００１】
本発明は、外容器内に内容器が収容される二重容器に関する。
【背景技術】
【０００２】
従来から、クリーム等の内容物が収容される内容器と、該内容器を着脱自在に収納する外容器と、を備える二重容器が知られている。このような二重容器の内容器は、外容器に対して出し入れ可能なレフィル容器であり、内容物を使い切った後は使用者によって外容器内に収納された内容器を取り外して新たな内容器に交換することで、外容器の再利用が図られる（例えば、特許文献１参照）。
【０００３】
特許文献１に記載された二重容器では、外容器２側の口筒部２６の外周面に外容器側係止突起２７が突設され、この外容器側係止突起２７に対向する内容器３側の環状周壁部３４の内周面に内容器側係止突起３７が突設されており、外容器側係止突起２７に対し内容器側係止突起３７が乗り越えてアンダーカット係合することにより、使用時等に内容器３が外容器２から脱落することが防止されている。
また内容器３の摘み部３５を挟持しながら上方に引き上げることにより、外容器側係止突起２７と内容器側係止突起３７とのアンダーカット係合が外れて外容器２内から内容器３を取り外すことが可能となっている。
【先行技術文献】
【特許文献】
【０００４】
【特許文献１】特開２０１８−３４８３６号公報
【発明の概要】
【発明が解決しようとする課題】
【０００５】
しかし、上記特許文献１に記載された二重容器においては、単に摘み部３５を挟持しながら内容器３を上方に引き上げただけでは、外容器側係止突起２７と内容器側係止突起３７とによる係合が外れない虞があり、その場合には内容器の交換作業をスムーズに行われなくなるという問題が生じる。
【０００６】
本発明は、上記した従来技術における問題点を解消すべく、内容器を挟持したときに外容器側係止突起と内容器側係止突起とによる係合が容易に外れやすい構造とすることにより、内容器の交換作業をスムーズに行えるようにした二重容器を創出することを課題とする。
【課題を解決するための手段】
【０００７】
上記課題を解決するための手段のうち、本発明の主たる手段は、
内容物が充填される内容器と、内容器が収容される外容器と、内容器を収容した外容器の開口端を封止する蓋体とを備えた二重容器であって、
外容器は、胴壁部の上端側に設けられた首筒部の外周面に刻設された容器側ネジ部及び外周面上の軸対称となる位置に薄肉状に形成された一対のネジ欠損部とを有して構成される雄ネジと、首筒部の上部に設けられた口筒部と、口筒部の外周面上で且つ一対のネジ欠損部に対し周方向にずれた位置に形成された外容器側係止突起とを有して構成され、
内容器は、周壁部の開口端に形成されたフランジ部の外周端から垂下設して外容器の口筒部に組み付く環状周壁部と、環状周壁部の下端に撓み変形可能な状態で設けられて外容器側のネジ欠損部に嵌合すると共に外周面に外容器側の容器側ネジ部に連続するネジ形状を有してネジ欠損部を補完する補完ネジ部を備える一対の摘み部と、環状周壁部の内周面上で且つ一対の摘み部に対して周方向にずれた位置に形成されて外容器側係止突起に夫々係止可能な内容器側係止突起とを有して構成され、
更に外容器側のネジ欠損部の下端に、摘み部が内径方向に撓み変形したときに、摘み部の下端を内径方向に摺動させて内容器を上方に移動させる径方向傾斜部が形成されていることを特徴とする、と云うものである。
本発明の主たる手段では、内容器に設けられた一対の摘み部を両側から挟持しながら押し込むと、摘み部と共に内容器が変形することにより、一対の摘み部に対して周方向にずれた位置に同様に設けられた外容器側係止突起と内容器側係止突起との係合が解除される。同時に撓み変形した摘み部の下端が、外容器側に設けられた傾斜面を上方に向かって摺動することから、内容器が外容器から離れる上方に向かって持ち上げられる。外容器側係止突起と内容器側係止突起との係合解除と内容器の持ち上げという２つの動作が同時に行われることにより、外容器内から内容器を容易に取り外すことが可能となる。
【０００８】
また本発明の他の手段は、上記主たる手段に、ネジ欠損部を有する首筒部の周壁に、径方向傾斜部を内径方向に延長させる横孔が形成されている、との手段を加えたものである。
上記手段では、摘み部を横孔の奥部まで押し入れることが可能となることにより、内容器を持ち上げる上方への移動量を稼ぐことができ、より確実に内容器を容易に取り外すことが可能となる。またこの横溝を通じて内容器と外容器との間外気を導入することが可能となるため、内容器を取り外す際に内容器と外容器との間が負圧となることが防止され、これによっても内容器を容易に取り出すことができるようになる。
【０００９】
また本発明の他の手段は、上記いずれかの手段に、ネジ欠損部には、ネジ欠損部の上端であるネジ欠損上部と下端であるネジ欠損底部との間を周方向に沿って連続する周方向傾斜部が形成されている、との手段を加えたものである。
上記手段では、一対の摘み部を両側から挟持した状態で軸回る方向に回転させると、内容器側の摘み部に設けられた傾斜状縁部が、外容器側のネジ欠損部に設けられた周方向傾斜部上を摺動し、内容器を上方に移動させることができるため、この手段によってもより確実に内容器を容易に取り外すことが可能となる。
【００１０】
また本発明の他の手段は、上記いずれかの手段に、摘み部に薄肉部が形成されている、との手段を加えたものである。
上記手段では、摘み部の撓み変形が容易となり、摘み部の下端が傾斜部や横溝に沿って摺動しやすくなるため、内容器を確実に持ち上げることが可能となる。
【００１１】
また本発明の他の手段は、上記いずれかの手段に、外容器では一対の外容器側係止突起が一対のネジ欠損部に対して周方向に９０度ずれた位置又はその近傍の位置に突設され、内容器では一対の外容器側係止突起に対向する位置に一対の内容器側係止突起が突設されている、との手段を加えたものである。
上記手段では、一対の掴み部を挟持しながら押し込んだときに、フランジ部が最も外径方向に広がって変形する位置に一対の内容器側係止突起を配置することができるため、内容器側係止突起と外容器側係止突起との係合を容易に解除することが可能となる。
【発明の効果】
【００１２】
本発明の二重容器では、内容器に設けられた一対の摘み部に対して押し込み操作、または回転操作を与えると、外容器側係止突起と内容器側係止突起との係合が解除され、同時に内容器が上方に持ち上げられるため、外容器内から使用済み内容器を取り出して新たな内容器に交換する作業をスムーズに行うことができる。
【図面の簡単な説明】
【００１３】
【図１】本発明の第１実施例としての二重容器を正面方向から示す半断面である。
【図２】二重容器を構成する外容器を示し、Ａは外容器の平面図、Ｂは外容器を正面方向から示す半断面図、Ｃは外容器を側面方向から示す半断面図である。
【図３】二重容器を構成する内容器を示し、Ａは内容器の底面図、Ｂは内容器を正面方向から示す半断面図、Ｃは内容器を側面方向から示す半断面図である。
【図４】Ａは外容器に内容器が嵌合している状態を示す二重容器の平面図、Ｂは外容器に内容器が嵌合している状態を正面方向から示す二重容器の半断面図である。
【図５】外容器から内容器を取り外す状態を側面方向から示す二重容器の半断面図である。
【図６】本発明の第２実施例として、外容器と内容器との嵌合部分を側面方向から示す二重容器の拡大部分断面図である。
【発明を実施するための形態】
【００１４】
以下、本発明の実施の形態について図面を参照しつつ説明する。
図１は本発明の第１実施例としての二重容器を正面方向から示す半断面、図２は二重容器を構成する外容器を示し、Ａは外容器の平面図、Ｂは外容器を正面方向から示す半断面図、Ｃは外容器を側面方向から示す半断面図、図３は二重容器を構成する内容器を示し、Ａは内容器の底面図、Ｂは内容器を正面方向から示す半断面図、Ｃは内容器を側面方向から示す半断面図、図４Ａは外容器に内容器が嵌合している状態を示す二重容器の平面図、図４Ｂは外容器に内容器が嵌合している状態を正面方向から示す二重容器の半断面図、図５は外容器から内容器を取り外す状態を側面方向から示す二重容器の半断面図である。
【００１５】
図１に示すように、本発明に係る二重容器１は、クリーム等の内容物が充填される内容器３０と、その内容器３０を内部に収納可能な外容器２０と、外容器２０の上部に被着される外蓋４０と、を有して構成されている。
図１乃至図５に示すように、外容器２０及び内容器３０は、それぞれ有底筒状で形成され、各中心軸線が共通軸上に位置するように配設されている。以下、この共通軸を軸線Ｏといい、軸線Ｏ方向に沿って後述する外容器２０の底壁部２２及び内容器３０の底壁部３２側を下側といい、その反対側を上側又は開口端側という。また軸線Ｏに対して直交する方向を径方向といい、軸線Ｏの回りに周回する方向を周方向という。
【００１６】
図２Ａ、Ｂ及びＣに示すように、外容器２０は、上端が開放された有底筒状の外装容器であり、軸線Ｏに沿って延設された略円筒形状の胴壁部２１と、その胴壁部２１の下側部分に設けられた底壁部２２とを備えている。この外容器２０は、例えば、ポリエステル系、ポリスチレン系、ポリオレフィン系等の合成樹脂、あるいはガラス又は金属等から形成され、例えば射出成形、ブロー成形、プレス成形等によって成形されている。
【００１７】
胴壁部２１の上側には、胴壁部２１よりも小さな径寸法で形成された首筒部２３が起立設されている。この首筒部２３の外周面に雄ネジからなる容器側ネジ部２４が刻設されている。また首筒部２３の外周面上の軸対称となる位置には、首筒部２３を薄肉状に形成することにより、容器側ネジ部２４の一部を欠く形態から成る一対のネジ欠損部２５が形成されている。より具体的には、図２Ｂに示すようにネジ欠損部２５は、後述の内容器３０の掴み部３５が挿入可能となるように、首筒部２３の上端であるネジ欠損上部２５ａから下端であるネジ欠損底部２５ｂにかけて略Ｕ状に切り欠いて形成されている。そして図２Ｂに示すように、略Ｕ状から成るネジ欠損部２５の周方向の両端には、ネジ欠損上部２５ａとネジ欠損底部２５ｂとの間を周方向に沿って連続する周方向傾斜部２５ｄが形成されている。更に図２Ｃに示すように、ネジ欠損底部２５ｂには、ネジ欠損底部２５ｂの外径側の端部から内径側の外周面まで内径方向に向かって上向きに傾斜する径方向傾斜部２５ｃが形成されている、
また首筒部２３の上側には、首筒部２３よりも小さな径寸法を有して成る口筒部２６が形成されている。この口筒部２６の外周面上で且つ一対のネジ欠損部２５に対して周方向に９０度ずれた位置には、一対の外容器側係止突起２７が夫々突設されている。
【００１８】
図３Ａ、Ｂ及びＣに示すように、内容器３０は、外容器２０に対して出し入れ自在な容器であり、使用者によって適宜交換可能なレフィル容器である。内容器３０の概略構成としては、軸線Ｏに沿って延設された略円筒形状の周壁部３１と、その周壁部３１の下側部分に設けられた底壁部３２と、を備えている。内容器３０は、上端に開口部を有する有底筒状の内装容器であり、例えばポリエステル系、ポリスチレン系、ポリオレフィン系等の合成樹脂から形成され、例えば射出成形やブロー成形等によって成形される。
【００１９】
周壁部３１の上端部には、外容器２０の口筒部２６の上端面に装着される外鍔状のフランジ部３３が形成されている。このフランジ部３３の外端縁から環状周壁部３４が垂下設され、この環状周壁部３４には、内容器３０が外容器２０内に挿入したときに上記したネジ欠損部２５に嵌合する掴み部３５が延長垂下設されている。この掴み部３５は環状周壁部３４の下端から軸方向に沿って垂下設されて径方向に撓み変形可能な板片であり、ネジ欠損部２５同様に、軸線Ｏを挟んで軸対称となる２箇所の位置に形成されている。掴み部３５を正面から見た形状は、外容器２０側の周方向傾斜部２５ｄと同様の略Ｕ字形であり（図３Ｂ参照）、また環状周壁部３４と同じ曲率半径を有して形成された略円弧形状でもある（図３Ａ及び図３Ｃ参照）。掴み部３５の周方向の両側には、周方向傾斜部２５ｄに対向する傾斜状縁部３５ａが形成されている。
【００２０】
掴み部３５の外面には、掴み部３５をネジ欠損部２５に嵌合させたときに（図４参照）、外容器２側の容器側ネジ部２４と連続して雄ネジを構成できるように、容器側ネジ部２４と同じネジ形状から成る補完ネジ部３６が形成されている。この補完ネジ部３６の形状をネジ形状とすることで、外蓋４０の螺脱操作時の操作性を向上させることができると共に、外蓋４０を外した状態後の使用時においてネジ部が連続しているように見えることで外観デザインの一体感を保つことができ、更には掴み部３５を指先で掴んだ際、補完ネジ部３６構成する複数（本実施例では２つ）のネジ山が滑り止め効果を発揮させることが可能となっている。尚、補完ネジ部３６のネジ山の高さは、容器側ネジ部２４のネジ山よりも低くして、滑り止め程度とする構成が好ましい・
【００２１】
図３Ｂに示すように、環状周壁部３４の内周面には、外容器側係止突起２７に対向する位置（掴み部３５に対して周方向に９０度ずれた位置）に内容器側係止突起３７が突設されており、図４Ｂに示すように内容器３０を外容器２０内に収納する際に、内容器側係止突起３７が外容器側係止突起２７を下方に乗り越えて係合（アンダーカット係合）することで、外容器２の口筒部２６の上端面に内容器３のフランジ部３３が組み付く。これにより、使用時において内容器３０が外容器２０から脱落することが防止できる。
尚、この内容器３０の周壁部３１の外径は、外容器２の胴壁部２１の内径と同径又はそれよりも若干小さい寸法で形成されており、内容器３は外容器２の内側に容易に収納することが可能となっている。
【００２２】
図１に示すように、外蓋４０は、外容器２０の首筒部２３に螺着される有頂筒状のオーバーキャップ体であり、軸線Ｏに対して直交に配設された円盤状の天壁部４１と、天壁部４１の端縁から垂下された円筒形状の周壁部４２と、を有する。周壁部４２の内周面には、外容器２０の容器側ネジ部２４及び内容器３の補完ネジ部３６の双方、又は少なくとも容器側ネジ部２４に螺合可能な雌ネジから成る蓋側ネジ４３が形成されている。また外蓋４０の天壁部４１の下面にはパッキン５０が配置されており、パッキン５０の外周部が外蓋４０の天壁部４１の下面と内容器３のフランジ部３３の上端面との間に挟み込まれてシールされることで内容器３０内が密封されることになる。
【００２３】
次に、上記構成からなる二重容器において、内容物を使い切った後に行われる内容器の交換操作について説明する。
図４Ａ及び図５に示すように、使用者は、例えば親指と人指し指とを軸対称に位置する一対の摘み部３５を挟持しながら、両側から軸線Ｏ（内径方向）に向かって軽く押し込む操作Ｆ１を行う。
すると、一対の摘み部３５が内径方向に縮径するように撓み変形すると同時に、フランジ部３３が略楕円状に変形させられる。そして、このとき一対の摘み部３５に対して周方向に９０度ずれた２箇所の位置ではフランジ部３３が外径方向（図４ＡのＦ２方向）に広がるように変形する。このため、周方向に９０度ずれた２箇所の位置において、内容器側係止突起３７と外容器側係止突起２７との係合を夫々解除させることができる。
更に図５に拡大して示すように、この押し込み操作Ｆ１においては、内径方向に撓み変形した摘み部３５の下端が、外容器２０側のネジ欠損部２５に設けられた径方向傾斜部２５ｃ上をネジ欠損底部２５ｂから上方に向かって摺動することになる。これにより、内容器３０が上方に持ち上げられることから、そのまま挟持している両指を持ち上げることにより、内容器３０を外容器２０から容易に取り外すことができる。よって、この二重容器１では、内容器３０の交換作業をスムーズに行うことができる。
【００２４】
また使用者は、一対の摘み部３５を押し込みながら内容器３０を周方向に回転させる操作を行ってもよい。この回転操作では、摘み部３５に設けられた傾斜状縁部３５ａが外容器２０側の周方向傾斜部２５ｄ上を摺動することから、摘み部３５が周方向傾斜部２５ｄの形状に沿って上方に移動させられる。よって、この回転操作においても、内容器３０が上方に持ち上げられることから、そのまま挟持している両指を持ち上げることにより、内容器３０を外容器２０から容易に取り外すことができる。
【００２５】
図６は本発明の第２実施例として、外容器と内容器との嵌合部分を側面方向から示す二重容器の拡大部分断面図である。
以下においては、主として第２実施例に示す二重容器が上記第１実施例と異なる点について説明する。
図６に示すように、この二重容器１ではネジ欠損部２５を有する首筒部２３を形成する周壁に横孔２８が穿設されており、この横孔２８の底面は、径方向傾斜部２５ｃを内径方向斜め上方に向かって延長させる傾斜面２８ａで形成されている。
この構成では、両側から一対の摘み部３５を挟持しながら軽く押し込む操作Ｆ１を行うと、撓み変形した摘み部３５の下端を、径方向傾斜部２５ｃ及びこれに続く傾斜面２８ａによって横孔２８の奥部まで押し込むことが可能となる。これにより、摘み部３５の上方向への移動量を増大させることができるため、第１実施例の場合以上に内容器３０を持ち上げることが可能となり、結果として内容器３０の交換作業を更にスムーズに行うことができる。
また内容器３０を持ち上げる際には内容器と外容器との間が負圧になりやすいが、第２実施例に示す構成では、横孔２８を通じて外容器２０と内容器３０との間に外気を導入することが可能となる。よって、外容器２０と内容器３０との間が負圧となることが防止され、内容器３０を容易に取り出すことができる。
【００２６】
また図６に示すように、環状周壁部３４と摘み部３５の境界部分に横溝状の薄肉部３８を形成する構成が好ましい。この構成では、摘み部３５の押し込み操作Ｆ１の際における摘み部３５の撓み変形を容易とすることができる。これにより摘み部３５の作動範囲が増大することから、より簡単に摘み部３５を押し込むことができ、結果として内容器３０を確実に上方に持ち上げること、すなわち内容器３０の交換作業を更にスムーズに行うことが可能となる。
【００２７】
以上、実施例に沿って本発明の構成とその作用効果について説明したが、本発明の実施の形態は上記実施例に限定されるものではない。
例えば、上記実施例では外容器２０側のネジ欠損部２５内に内容器３０側の摘み部３５が嵌合する状態では、ネジ欠損部２５側の周方向傾斜部２５ｄに対して摘み部３５の傾斜状縁部３５ａが周方向に密着して配置される場合（図４Ｂ参照）を示して説明したが、本発明は上記実施例に限定されるものではなく、周方向傾斜部２５ｄと摘み部３５の傾斜状縁部３５ａとの間に隙間余裕を設ける構成としても良い。この構成では、内容器３０が周方向に移動しやすくなるため、内容器３を取り外す際において、周方向に小さな力を加えるだけで、内容器３０側の摘み部３５の傾斜状縁部３５ａが、外容器２０側のネジ欠損部２５の周方向傾斜部２５ｄを利用して上方に移動させることが可能となる。
【００２８】
また上記実施例では、図３Ａの平面図で見た場合の内容器３０側の摘み部３５の平面形状を、内容器３０を構成する環状周壁部３４と同様の曲率半径を有して形成される円弧状とした場合を示して説明したが、本発明は上記実施例に限定されるものではなく、より撓み変形しやすくなる平板状として構成しても良い。
【００２９】
また上記実施例では、外容器２０側では一対の外容器側係止突起２７を一対のネジ欠損部２５に対して周方向に９０度ずれた位置に突設し、内容器３０側では一対の外容器側係止突起２７に対向する位置（一対の摘み部３５に対して周方向にずれた位置）に一対の内容器側係止突起３７を夫々突設した場合を示して説明したが、外容器側係止突起２７と内容器側係止突起３７とが対向配置されることで互いに係合可能であれば上記実施例に限定されるものではなく、例えば外容器側係止突起２７と内容器側係止突起３７は複数形成されていてもよい。また外容器側係止突起２７及び内容器側係止突起３７の周方向における形成位置についても好ましくは一対のネジ欠損部２５又は一対の摘み部３５に対して周方向に９０度ずれた位置又はその近傍の位置であるが、軸線Ｏに対して軸対称に配置される位置であれば一対のネジ欠損部２５又は一対の摘み部３５に対して周方向に９０度ずれた位置以外の位置に形成されていても良い。
【産業上の利用可能性】
【００３０】
本発明は、外容器内から内容器を取り外して交換するタイプの二重容器の分野における用途展開を更に広い領域で図ることができる。
【符号の説明】
【００３１】
１    ；  二重容器
２０  ；  外容器
２１  ；  胴壁部
２２  ；  底壁部
２３  ；  首筒部
２４  ；  容器側ネジ部
２５  ；  ネジ欠損部
２５ａ；  ネジ欠損上部
２５ｂ；  ネジ欠損底部
２５ｃ；  径方向傾斜部
２５ｄ；  周方向傾斜部
２６  ；  口筒部
２７  ；  外容器側係止突起
２８  ；  横孔
２８ａ；  傾斜面
３０  ；  内容器
３１  ；  周壁部
３２  ；  底壁部
３３  ；  フランジ部
３４  ；  環状周壁部
３５  ；  掴み部
３５ａ：  傾斜状縁部
３６  ；  補完ネジ部
３７  ；  内容器側係止突起
３８  ；  薄肉部
４０  ；  外蓋
４１  ；  天壁部
４２  ；  周壁部
４３  ；  蓋側ネジ部
５０  ；  パッキン
Ｆ１  ；  押し込み操作
Ｏ    ；  軸線
【図１】
2020050425.tif 000003
【図２】
2020050425.tif 000004
【図３】
2020050425.tif 000005
【図４】
2020050425.tif 000006
【図５】
2020050425.tif 000007
【図６】
2020050425.tif 000008